(57)【要約】人の健康を促進する効果を有する建築材およびその製法を提供する。  大陸棚程度の海底であった場所で現在は陸地となっている場所から採取された動植物プランクトンの化石の粉末を含む遠赤外線放射物質をナノパウダー化して、加熱蒸着法で蒸発させ、建築材に定着させる。このようにして、建築材の表面と内面にナノレベルの遠赤外線放射物質を定着すると、常温下で、摩擦や加熱、加圧など外部からの作用を加えることなく、人の健康増進に有効な遠赤外線を建材から放射させることができ、住む人の健康を促進することができる。【特許請求の範囲】
【請求項１】
大陸棚程度の海底であった場所で現在は陸地となっている場所から採取された動植物プランクトンの化石の粉末を含む遠赤外線放射物質を建築材に固定したことを特徴とする建築材。
【請求項２】
前記遠赤外線放射物質を、ナノパウダー状態にして建築材の表面および内部に定着させた
ことを特徴とする請求項１記載の建築材。
【請求項３】
大陸棚程度の海底であった場所で現在は陸地となっている場所から採取された動植物プランクトンの化石の粉末を含む遠赤外線放射物質をナノパウダー化して、加熱蒸着法で蒸発させ、建築材に定着させる
ことを特徴とする建築材の製法。
【請求項４】
大陸棚程度の海底であった場所で現在は陸地となっている場所から採取された動植物プランクトンの化石の粉末を含む遠赤外線放射物質を水溶液状態に加工し、この水溶液を建材に適した材料塊に含水させ乾燥させて遠赤外線材料塊を作成し、さらに、この遠赤外線材料塊をミクロンパウダー化して接着剤又は塗装材に混合して建築材に塗布する
ことを特徴とする建築材の製法。
【請求項５】
大陸棚程度の海底であった場所で現在は陸地となっている場所から採取された動植物プランクトンの化石の粉末を含む遠赤外線放射体を水溶液状態に加工し、この水溶液を建材に適した材料塊に含水させ乾燥させて遠赤外線材料塊を作成し、さらに、この遠赤外線材料塊をミクロンパウダー化して、このミクロンパウダーに植物樹脂を混合して、この植物樹脂を建築材の表面に加工する
ことを特徴とする建築材の製法。
【発明の詳細な説明】
【技術分野】
【０００１】  本発明は建築材およびその製法に関する。さらに詳しくは、床材、壁材、天井材、柱などの建築材およびその製法に関する。
【背景技術】
【０００２】  従来の建築材のうち木材を用いたものは、むくの木材を用いたり、合板を用いたりするが、表面は無塗装であったり、あるいは伝統的なニス塗りや、現在では種々の合成塗料を塗ったものもある。
塗装をする場合でも、それらは、防水性や建材の寿命をもたせるためであったり、見映えを良くするためであり、人の健康を促進するものではない（特許文献１，２）。【０００３】  ところで、近年、遠赤外線が人の健康増進に寄与することが広く知られるようになり、遠赤外線を人体に照射する機能を備えた衣料品などが市販されている。
また、コンクリートなどの建設資材に、遠赤外線を放射する物質を骨材として混入させて建物を構築すると、湿気や結露が抑制されることも知られている。【０００４】  遠赤外線を放射したり、類似の機能をもつ物質としては、ケイソウ土や活性炭、トルマリンなどの天然鉱物、セラミックスの粉末などがある。
ケイソウ土や活性炭は、その構造上有機物や水分を吸着することで、消臭や調湿などの遠赤外線作用に類似した作用をおこなうものであり、これらを水溶液化し蒸発しうる状態にしたとしても、その多孔質構造は破砕され遠赤外線作用に類似した機能性を有することはない。これらは加熱してはじめて物質的に遠赤外線放射機能を発生するものである。
上記の吸着原理に対して、自己起電力による遠赤外線放射物質としてトルマリンがある。トルマリンは、吸着原理ではなく遠赤外線放射により消臭や調湿の機能性を発揮することができる。しかし水溶液化し加熱蒸着法の材料として使用することは困難であるから、建材等の内部に定着させることはできない。それはトルマリンがホウ素を含む鉱石で複雑な化学組成をもっている六方晶系の結晶構造であることと、安定して製造しうるトルマリンの微粒子化は、収率７０％程度で０．３ミクロン前後と予想され、この粒子径では加熱蒸着を行っても水分蒸発後において微粒子は水溶液であった部位に残存することになり、水蒸気と共に上昇することは困難であることに起因する。したがって、トルマリンは、微細な粉末にして使用され、それにより遠赤外線放射機能を発揮するが、摩擦したり加熱しないと充分な遠赤外線を発生することはない。
セラミックスは常温における遠赤外線放射機能が不充分であり、実用レベルの遠赤外線を発生させるには、トルマリンと同様に加熱などの必要がある。また、粒径が比較的大きいものが多いので、利用できる対象が限定される。
以上の理由により、建築材に実用的な遠赤外線放射機能をもたせたものは、未だ存在しない。【０００５】
【特許文献１】実用新案登録第３０９１１０６号
【特許文献２】実用新案登録第３０９１６６６号
【発明の開示】
【発明が解決しようとする課題】
【０００６】  本発明は、従来全く存在しなかった、遠赤外線放射により人の健康を促進する効果を有する建築材およびその製法を提供することを目的とする。
【課題を解決するための手段】
【０００７】  第１発明の建築材は、大陸棚程度の海底であった場所で現在は陸地となっている場所から採取された動植物プランクトンの化石の粉末を含む遠赤外線放射物質を建築材に固定したことを特徴とする。
第２発明の建築材の製法は、第１発明において、前記遠赤外線放射物質を、ナノパウダー状態にして建築材の表面および内部に定着させたことを特徴とする。
第３発明の建築材の製法は、大陸棚程度の海底であった場所で現在は陸地となっている場所から採取された動植物プランクトンの化石の粉末を含む遠赤外線放射物質をナノパウダー化して、加熱蒸着法で蒸発させ、建築材に定着させることを特徴とする。
第４発明の建築材の製法は、大陸棚程度の海底であった場所で現在は陸地となっている場所から採取された動植物プランクトンの化石の粉末を含む遠赤外線放射物質を水溶液状態に加工し、この水溶液を建材に適した材料塊に含水させ乾燥させて遠赤外線材料塊を作成し、さらに、この遠赤外線材料塊をミクロンパウダー化して接着剤又は塗装材に混合して建築材に塗布することを特徴とする。
第５発明の建築材の製法は、大陸棚程度の海底であった場所で現在は陸地となっている場所から採取された動植物プランクトンの化石の粉末を含む遠赤外線放射体を水溶液状態に加工し、この水溶液を建材に適した材料塊に含水させ乾燥させて遠赤外線材料塊を作成し、さらに、この遠赤外線材料塊をミクロンパウダー化して、このミクロンパウダーに植物樹脂を混合して、この植物樹脂を建築材の表面に加工することを特徴とする。
【発明の効果】
【０００８】  第１発明によれば、大陸棚程度の海底であった場所で現在は陸地となっている場所から採取された動植物プランクトンの化石の粉末を含む遠赤外線放射物質が建築材に固定されているから、常温下で、摩擦や加熱、加圧など外部からの作用を加えることなく、建築材から人の健康増進に有効な波長域の遠赤外線を放射させることができ、住む人の健康を促進することができる。
第２発明によれば、遠赤外線放射物質がナノパウダー状態で建材の内部にまで浸透して固定されているので、長期にわたって、人の健康に有効な波長域の遠赤外線を放射させることができ、より長い間、住む人の健康を増進することができる。
第３発明によれば、ナノパウダー化した遠赤外線放射物質を蒸発させて建築材に定着させるので、建築材の内部にまで浸透させることができる。
第４発明によれば、接着剤や塗装材に混合して塗布するので、既存の建築材（とくに合板等）の製造工程中で容易に実施することができる。
第５発明によれば、植物樹脂の結合特性を利用するので、接着や塗装工程を伴わない工程中で容易に実施することができる。
【発明を実施するための最良の形態】
【０００９】  つぎに、本発明の実施形態を説明する。
本発明の建築材は基本的には、大陸棚程度の海底であった場所で現在は陸地となっている場所から採取された動植物プランクトンの化石の粉末を含む遠赤外線放射物質を建築材の表面および（または）内面に固定したものである。建築材としては、とくに制限なく、床材、壁材、天井材、柱などに本発明を適用できる。【００１０】（本発明における遠赤外線放射物質）
本発明に用いる遠赤外線放射物質は、大陸棚程度の海底であった場所で現在は陸地となっている場所から採取された動植物プランクトンの化石の粉末を含むものを主原料とすることが必須である。
上記の動植物プランクトンの化石の粉末を含むものを使用することにより、人や動物の健康増進、植物の成長促進などに効果的な波長域の遠赤外線を高い効率で放射することができる。また、常温において、摩擦や加熱、加圧など外部からの作用を加えることなく、遠赤外線を効率よく発生させることができる。【００１１】（大陸棚程度の海底に生息した動植物プランクトンの化石の特徴）
本発明に用いられる動植物プランクトンの化石は、約１００万年前に深さ２００ｍ程度の海中の大陸棚であった場所であって、現在は陸地となっている場所から採取され、それを粉末化して使用する。このような動植物プランクトンの化石は、遠赤外線を高い効率で放射する機能を有することを本発明者らは調査実験により確認している。その詳細は、以下のとおりである。【００１２】  本発明における遠赤外線物質の原料は、大陸棚程度の海底であって現在は陸地となっている場所において岩盤の表層を採取して得られるものであり、この中には動植物プランクトンの化石やこれに混ざってサンゴや貝殻が岩石に混入している。これらの採取物は、古代の海底にあった時代よりも塩分の少ない海水中で生活していた動植物プランクトンの化石を含んでおり、動植物プランクトンが化石となる過程で、その成分を化石周辺の土中に浸透させている。
このような化石成分は、人体の成分に近く、これらの成分を含む土や岩石等の採取物は、当然ながら人体の成分に近いものがある。そして、これらの採取物を海水に含まれる鉱物を溶かした水溶液に浸け込ませ、ある特別な状態（電気的エネルギー）におくと、動植物プランクトンやサンゴ等の化石であったものだけが、水性の状態になり水溶液に溶け出し、固体の形が消失する現象がおこる。
この水溶液に溶出し水と一体化した化石構成物であるミネラル（鉱物）は、岩石と違い生命発生において元来海中に溶融したミネラルであり、生命エネルギー（電気）によって結合し固形化らしい生物を形成したものでである。したがって、生命体の一部となったミネラル（鉱物）は、電気エネルギーを受け取りまた放電しやすい性質を帯びている。この帯電または放電しやすいミネラルは、電磁波の吸放出においても、その機能性が高くなる。生命体の組成は水が基本であり、水は遠赤外線波長域を良く吸収する訳で、これと一体になっていた化石ミネラルは、遠赤外線電磁波の吸放出の相互関係であったといえる。【００１３】  以上をまとめると、つぎのとおりである。
イ）高い放射機能
大陸棚程度の海底に生息した動植物プランクトンの化石は、それ以外の浅瀬や深海又は陸地に生息した動植物化石に対して、同温条件において遠赤外線波長域の放射機能が高いことが本発明者の研究により見出された。本発明はこの機能を利用するものである。
ロ）高い吸収率
大陸棚程度の海底に生息した動植物プランクトンの化石は、水分子という特定の物質が吸収する波長域において、その波長の放射効率が他の生息域において採取される化石に対して高いことが本発明者の研究により見出されたが、本発明はこの機能を利用している。なお、物質には電磁波の固有吸収波長があり、固有波長以外は吸収効率が低い。水という物質が吸収する波長域は、遠赤外線波長域であり、特に波長６〜１４ミクロンにおいて吸収効率が高くなる。
ハ）健康増進効果
以上の理由により、遠赤外線放射物質として、動植物プランクトンの化石の粉末を含むものを使用することにより、人体が吸収しやすく人の健康増進に有効な遠赤外線を高い効率で放射させることができ、常温下で、摩擦や加熱、加圧など外部からの作用を加えることなく、遠赤外線を効率的に発生させることができる。【００１４】（人体の健康に好影響を及ぼす根拠）
人間の体液と、今ほど塩分を含んでいなかった古代の海水の成分は、下表のとおりよく似ている。
海水には、自然界にあるほとんどすべての元素が含まれている。しかも、そのうちの主要元素と体液の主要成分を比較すると、かなり似ており、このことは、最初の生命が海から生まれたことの証拠でもある。
2007037014.tif 000002
【００１５】  本発明における遠赤外線物質を含む水溶液に、海水に含まれる鉱物質を含有させると、海水の組成と似た組成を有する人体に吸収されやすい波長の遠赤外線、人体に有効な遠赤外線を発生させることができる。海水に含まれる鉱物質とは、マグネシウム、カリウム、酸化チタン、カルシウム、ナトリウムなどをいう。
また本発明における遠赤外線物質を含む水溶液に、人体に含まれる鉱物質と同種の鉱物質を含有させると、人体を構成している血液、体液、細胞液に有効な波長の遠赤外線を発生して、人体の生命力を活性化する機能を備えたものとなる。人体に含まれる鉱物質とは、カルシウム、ナトリウム、カリウム、マグネシウムなどがある。【００１６】（本発明における建築材の製法）
（第１の製法）
大陸棚程度の海底であった場所で現在は陸地となっている場所から採取された動植物プランクトンの化石の粉末を含む遠赤外線放射物質をナノパウダー化して加熱蒸着法で蒸発させる。この過程で共に蒸発する遠赤外線放射蒸発物を建築材の表面を暴露させると、建築材の表面および内部に定着する。【００１７】  ナノレベルのパウダーは、外観上水溶液として水分子と一体化してゾル化しており、自然乾燥して抽出した場合、５〜５０ナノメートルの範囲となる。このナノパウダー、すなわち、５〜５０ナノレベルの遠赤外線放射体を含む水溶液を、加熱し沸騰もしくは強制的に気化する状態に維持すると、気化する蒸気中にナノレベルの遠赤外線放射体が混在して水溶液の液面より離脱上昇する。
この蒸気を建材表面片側に接触させ、同時に反対面を冷却することにより、建材内部への熱移動と共に、水蒸気と遠赤外線放射体が建材表層及び内部に浸透し遠赤外線放射体を建材に定着させることができる。
建材表層及び内部に浸透した水蒸気は蒸発し、その痕跡を残さない。しかし水蒸気と共に水溶液より建材表層及び内部に移動したナノレベルの遠赤外線放射体は、建材を構成するセルロース繊維の隙間にその粒子径が極小である故に埋没したり、もともと存在する建材の構造水分と再融合して定着し、遠赤外線の放射機能を発生させる。これが本発明における第一の製法の特徴である。【００１８】  上記製法の具体的な加熱蒸着加工設備の一例を、図１に基づき説明する。
図１において、水溶液容器１内には、遠赤外線放射体を含む水溶液２が注水してあり、その下に加熱プレート３を接触させて加熱し、水溶液が沸騰または急速に蒸発する状態にしておく。水溶液容器１の側面には、遠赤外線放射器４を設置し蒸発する水分子５に遠赤外線ナノ微粒子６と結合力を強化するための特定の遠赤外線波長を放射しておく。特定の遠赤外線波長とは、水分子の還元振動６〜１４ミクロンがふさわしい。これにより遠赤外線放射体を伴い浸透力のより強い水分子運動が作られる。
水溶液面により上昇する水蒸気及び遠赤外線ナノ微粒子６に対し、建築材７を片面だけ暴露させ同時に反対側の建築材表面に、フード８などにより冷気を吹きかける。
建築材７に温度差をつけることにより、建築材内部に熱の移動が起こり水分子は建築材内部への移動運動が励起されることになる。これに伴い遠赤外線ナノ微粒子６も建築表層及び建築材内部へ搬送され定着できる。【００１９】  この遠赤外線ナノ微粒子６は、水蒸気の上昇気流により建築材にたどり着いた後、熱移動により水蒸気は、蒸発するかあるいはミスト化するが、残留する微粒子は、そのサイズからして建築材の繊維あるいは表層樹脂の分子的隙間に埋没又は挟まり定着する。ミストした状態においては、ミストを構成する水分子は先に遠赤外線放射器４にて振動運動を与えられており、この運動は建築材への浸透力を増大させる。また蒸発後は微粒子自体の遠赤外線放射が始まり、建築材をもともと構成している水分子との融合により遠赤外線ナノ微粒子として建築材構成分とし一体化し定着する。
なお、建築材７は連続的に移動することで連続加工生産が可能となる。【００２０】  上記第１の製法における加工技術上の特徴
１）建築材の表層が化粧紙、合板、樹脂板、ムク板等であっても、表層にはミクロン間隔の隙間や凹凸があるので、あらゆる建材に遠赤外線加工が可能である。
２）本製法は遠赤外線放射体を加工対象物に非接触にて加工できるため、建築材の製造工程において加工の組み入れが自由に選定できる。
３）本製法は建築材への遠赤外線放射体定着に水分子の蒸発を媒体として使用しており、定着に接着剤や溶剤を使用しないことから、加工後建築材の色相や風合い等に変化を生じさせない。また化学的弊害も生じない。【００２１】  上記第１の製法における加熱蒸着法に使用する遠赤外線放射物質は、もともと水溶性のナノ微粒子として特別な電気的状態において、水の分子運動により破砕溶解されたミネラルナノ微粒子が遠赤外線の外部よりの放射誘導により共鳴により改質したものであり、遠赤外線放射物質としてナノレベルにて完成したものであって、これ以上の加工を必要としないという特徴がある。【００２２】（第２の製法）
大陸棚程度の海底であった場所で現在は陸地となっている場所から採取された動植物プランクトンの化石の粉末を含む遠赤外線放射物質を水溶液状態に加工し、この水溶液を建材に適した材料塊に含水させ乾燥させて遠赤外線材料塊を作成し、さらに、この遠赤外線材料塊をミクロンパウダー化して接着剤又は塗装材に混合して建築材に塗布する。塗布する方法は公知の方法をとくに制限なく採用できる。【００２３】  前記遠赤外線放射物質の粉末の粒径は０．５〜１０μｍが好適であり、このような粒径に予め加工された粉末をミクロンパウダーという。このミクロンパウダー化の方法は材料塊を小石状に粉砕し、複数のパイプ内に装填して陽圧空気を用いパイプから噴射した小石状塊を衝突させて、粉砕を繰返すことにより作成できる。このミクロンパウダーは、後述する天然樹脂を含む水溶液中での均一な分散性を確保できるほか、この水溶液中において水分子との融合が進行し、特定波長の遠赤外線を放射する結晶を自ら形成していく効果が生ず。【００２４】  用いる液は、水いわゆる純粋ではなく、電離する水であれば適用できる。植物樹脂や海水を溶かした水などを使用する。
建材に適した材料塊としては以下を例示できる。無機質のものとして、石膏、セメント、土壁材、珪藻土など吸収性がある物質であれば使用可能である。有機質としては、木材片、モミガラ、ケナフ等の植物繊維等も使用することができる。【００２５】（第３の製法）
大陸棚程度の海底であった場所で現在は陸地となっている場所から採取された動植物プランクトンの化石の粉末を含む遠赤外線放射体を水溶液状態に加工し、この水溶液を建材に適した材料塊に含水させ乾燥させて遠赤外線材料塊を作成し、さらに、この遠赤外線材料塊をミクロンパウダー化して、このミクロンパウダーに植物樹脂を混合し、これを建築材の表面に加工する。【００２６】  植物樹脂は、活着効果を有するので、この効果を利用した製法である。すなわち、植物系の樹脂は多糖類からなり、樹皮成分の多糖類は細胞と細胞の間を接合する役割から水分乾燥により硬化し、結合力を維持する性格がある。
植物樹脂には、海藻類（ワカメ、コンブ、ヒジキなど）やゴムの木やモチノキ等がある。【００２７】  上記植物樹脂の特長を生かすと、ミクロンパウダー自体に安定して分散している遠赤外線放射体の経時的風化による離脱（水分に溶出したりする）や、凝集（水分移動により凝集する）を防止し、放射機能を維持することができる。
また、接着剤や塗料を使用しない建材表面への遠赤外線加工方法として、水分吸収がある建材に使用することができる。【００２８】（本発明の建築材の利点）
人の脳波に良い影響を与える電磁波とは、脳細胞を構成する水分（細胞構造水）や脳内を満たしている水分（髄液や血液の基となっている水分：細胞間水）に固有の分子振動エネルギーとして吸収されたとき、水分子が電気的にマイナスに片寄り、酸化要因（活性酸素や酸化老廃物）を加水分解して消去できる波長域の電磁波である。この波長域は遠赤外線波長に属し、中でも６〜１４ミクロンが有効に作用する。
この作用効果は、本発明で用いる遠赤外線放射物質のように人体に含まれる鉱物質を動植物化石類の原料を使用して水溶液とすることが達成できる。水に溶け込んだミネラル（海水中など）で、これを元に創られた生命体であってこられが一旦化石化し、固形になったものが改めて水溶液化できた鉱物質の集まりは６〜１４μの波長放射と吸収に選択性がある。【００２９】  遠赤外線は電波と同じく電磁波であるので、相手の固有吸収波長と同じ波長を放射しないとエネルギー出力がいかに多くとも吸収されず、作用効果を生じない。
水の吸収波長は４〜１０００ミクロンの遠赤外線波長中６．２７ミクロンが最大で、６〜１４ミクロンにある。
この波長を水が吸収することで、水は電気的に還元し活性化する。水の活性化は水の再現性を意味し、再現性は酸化老化要因である酸素による酸化を還元し、その酸化毒性を消去する効果がある。
この作用が脳に働いた場合、脳の酸化が是正され脳の機能性が円滑になるために、精神的リラックスが得られ、脳における身体の生理的支配野における機能いわゆる恒常性が改善される。このことは、各種代謝異常の改善や抵抗力を強化して健全な体質を作る効果となる。
また、脳以外にも全身に水分がある以上、各部の細胞組織にも有効に作用し酸化物質消去や結構改善等有効に作用する。【００３０】  また、電磁波はエネルギーである。エネルギーの授受は、接触伝搬、対流伝搬、そして放射と吸収に分けることができ、放射の形で伝搬する電磁波は吸収できる相手に対し、もっともロスが少なくそのエネルギーを非接触にて伝搬できる。非接触であるからこそ建材に活用して空間の活性が可能なのである。この空間に水蒸気もあり、人（水分構成体として）も存在し、恩恵にあずかることができる。【００３１】（人の健康に及ぼす効果の内容）
人体の健康に期待される効果は、加温と保温、血行改善、精神の安定、疲労物質消去など幅広くあるが、これらの効果は遠赤外線電磁波の放射と吸収が成立したときに実現する。鉱物質の種類を変えて水に溶かし込むことで、水分を中心にタンパクや脂質や炭水化物などに選択的に吸収させることが可能になり、それぞれの栄養素で構成されている血液体液や脳など各部臓器に対して、遠赤外線エネルギーの効果を発揮することができる。
海水に含まれる鉱物質を含有させると、温泉同様の加温や血行改善効果が基本的に得られ、人体に含まれる鉱物質を厳密に含有させると、その含有状態と共鳴する身体部位に対して、その鉱物質が寄与している身体機能が活性化されることになる。
人の元素組成を含有量の多い順に並べると以下のとおりである。
Ｈ＜Ｏ＜Ｃ＜Ｎ＜Ｃａ＜Ｐ＜Ｓ＜Ｎａ＜Ｋ＜Ｃｌ＜Ｍｇ＜Ｆｅ
海の原子組成を含有量の多い順に並べると以下のとおりである。
Ｈ＜Ｏ＜Ｃｌ＜Ｎａ＜Ｍｇ＜Ｓ＜Ｃａ＜Ｋ＜Ｃ＜Ｎ＜Ｂｒ＜Ｂ
人と海とでは組成元素の種類と含有順序が異なるので、単に遠赤外線がでるだけでは、人体の半分以上を占める水分に吸収されるとは限らず効果が不安定となる。【００３２】  人は体の酸化（老化）や疲労感について、それぞれ感覚で捕らえて判断する。しかし、その判断は大脳皮質等にて判断しているので、脳自体の酸化を是正するために必要な遠赤外線の有効作用を発生させることが重要である。なおこの発想は、他に無い発想と考えられる。
もっとも脳の酸化の是正は、脳の身体各部からの身体変化情報に対する的確な処理能力を回復させアレルギー疾患等を克服させる効用を期待できるが、同時に全身の血行改善や酸化物質消去作用による細胞リフレッシュによる細胞活性も徐々に実現する。
人の健康は、脳の精神的健康と全身の肉体的健康の両面により評価されるべきであるから、身体全体への効果として表現するほうが適当である。
本発明の遠赤外線技術が、波長の選択性実現により脳の興奮沈静化と全身での血行改善に寄与できる水の共振波長６．２７μと、脳等のタンパク質組成での電気的還元力を発生する特定波長を放射維持できる特徴をもっていることにその根拠がある。
【実施例】
【００３３】  本発明の第１の製法で作成した床材を実施例１とし、遠赤外線放射物質を有しない床材を比較例１とし、以下の要領で、比較実験を行った。
（測定機器）
生体信号処理装置  フットテクノ製ＡＬＰＨＡ  ＭＡＳＴＥＲ
（測定）
健常な青年男子（４９才）を被験者とし、まず比較例１のフロア−用の前に１０分間立ち、その後２分間の脳波の変化を測定した。次いで、実施例１のフロア−用も同様に使用し、測定した。国際脳波学会用語委員会により、定められた脳波の各周波数は次の如くである。
θ波：４Ｈｚ以上８Ｈｚ以下のもの
α波：８Ｈｚ以上で１３Ｈｚ以下のもの
β波：１３Ｈｚより高いもの【００３４】（結果）
測定した脳波スペクトル変化を図２（実施例１）および図３（比較例１）のグラフに示す。
実施例および比較例のα，β，θ波の出現の変化を見ると、比較例１のフロア−使用時は、α波３１．７％、β波６８．３％、θ波０％である。実施例１のフロアーの場合は、α波６６．７％，β波２５．８％、θ波６．７％であった。従って、実施例１フロア−使用時の方がα波が３５％増加している。このように実施例１のフロア−を使用することでリラックス状態を示すα波が増加していることから、いやしの効果があるといえる。
【産業上の利用可能性】
【００３５】  遠赤外線放射により人の健康を促進する効果を有する建築材を提供できる。
【図面の簡単な説明】
【００３６】
【図１】本発明の第一の製法で用いた加熱蒸着加工設備の説明図である。
【図２】実施例１の脳波スペクトル変化を示すグラフである。
【図３】比較例１の脳波スペクトルを示すグラフである。
【図１】
2007037014.tif 000003
【図２】
2007037014.tif 000004
【図３】
2007037014.tif 000005
【国際調査報告】
2007037014.tif 000006
2007037014.tif 000007
2007037014.tif 000008
2007037014.tif 000009
2007037014.tif 000010
2007037014.tif 000011